(57)【要約】【課題】複数の紙幣群を連続的に処理する場合の紙幣整理装置の稼動効率を向上させると共に係員の利便性を向上させる手段を提供する。【解決手段】紙幣整理装置が、紙幣、および複数の紙幣からなる紙幣群の区切りを示す区切模様を印刷した区切券からなる媒体を１枚毎に繰出す繰出部２と、繰出部２から搬送された媒体の媒体模様を識別する媒体模様識別部４ａと、媒体模様識別部４ａが識別した媒体模様が、紙幣の紙幣模様の一つである場合に、その紙幣の金種、正損からなる種別毎に識別枚数を計数する手段と、媒体模様識別部４ａが識別した媒体模様が、区切模様である場合に、その区切券の次の媒体から、識別枚数を新たに計数する手段と、全ての媒体の媒体模様の識別を終えた後に、区切券を区切りとして複数の識別枚数を表示する手段とを備える。【選択図】        図３
2008176469.tif 000002
【特許請求の範囲】
【請求項１】
紙幣、および複数の紙幣からなる紙幣群の区切りを示す区切模様を印刷した区切券からなる媒体を１枚毎に繰出す繰出手段と、
該繰出手段から搬送された媒体の媒体模様を識別する媒体模様識別手段と、
前記媒体模様識別手段が識別した媒体模様が、紙幣の紙幣模様の一つである場合に、該紙幣の金種、正損からなる種別毎に識別枚数を計数する手段と、
前記媒体模様識別手段が識別した媒体模様が、前記区切模様である場合に、該区切券の次の媒体から、前記識別枚数を新たに計数する手段と、
全ての媒体の媒体模様の識別を終えた後に、前記区切券を区切りとして複数の前記識別枚数を表示する手段と、を備えることを特徴とする紙幣整理装置。
【請求項２】
請求項１において、
前記区切券を、係員がアクセス可能な排出口へ搬送する手段を備えることを特徴とする紙幣整理装置。
【請求項３】
請求項１または請求項２において、
前記搬送された媒体の重送を検出する重送検出手段と、
該重送検出手段が重送を検出したときに、以後の媒体を係員がアクセス可能な排出口へ搬送する手段と、
該重送検出手段が重送を検出した以後の媒体からの前記識別枚数の計数を中断する手段と、
前記媒体模様識別手段が前記区切模様を認識したときに、該区切券の次の媒体から、前記識別枚数の計数を再開する手段と、を備えることを特徴とする紙幣整理装置。
【請求項４】
請求項１ないし請求項３のいずれか一項において、
結束枚数の紙幣を結束材で結束して紙幣束を作成する施封手段を設けると共に、前記結束枚数の枚数を表す枚数模様を印刷した媒体である枚数設定券を設け、
前記媒体模様識別手段が識別した媒体模様が、前記枚数模様である場合に、該枚数模様で表された枚数を、前記結束枚数として設定する手段を備えることを特徴とする紙幣整理装置。
【請求項５】
請求項４において、
前記枚数設定券を、係員がアクセス可能な排出口へ搬送する手段を備えることを特徴とする紙幣整理装置。
【発明の詳細な説明】
【技術分野】
【０００１】
本発明は、金融機関に設置され、紙幣を種別毎に一時集積部に集積し、所定の結束枚数毎に紙幣を結束する結束処理等を行う紙幣整理装置に関する。
【背景技術】
【０００２】
従来の紙幣整理装置は、紙幣を投入する投入部と、投入部から搬送された紙幣の金種、正損等の各種の識別を行うと共に計数を行う識別部と、識別部の識別結果に基づいて紙幣を金種、正損からなる種別毎に紙幣を集積する複数の一時集積部を有する集積機構と、各一時集積部に集積された所定の結束枚数の紙幣をテープで結束して紙幣束として放出する施封部と、一時集積部に集積された結束枚数の紙幣を施封部へ移送する移送部と、識別部で識別された紙幣の種別毎の計数結果の表示等を行う表示画面とタッチパネルを有する操作表示部とを備えて構成され、比較的少数の紙幣からなる紙幣群を連続的に結束処理する場合に、紙幣群別に投入部に紙幣をセットして紙幣を計数し、複数回の投入により一時集積部に所定の結束枚数の紙幣が集積されたときに先の紙幣群の紙幣と後の紙幣群の紙幣とを一つの紙幣束として結束している（例えば、特許文献１参照。）。
【特許文献１】特開２００２−１９７５０９号公報（主に第３頁段落０００７−第４頁段落００１３、第８頁段落００６３−００６４、第１図）
【発明の開示】
【発明が解決しようとする課題】
【０００３】
しかしながら、上述した従来の技術においては、比較的少数の紙幣からなる紙幣群を連続的に結束処理する場合に、紙幣群別に投入部に紙幣をセットして紙幣を計数しているため、紙幣群を投入する度に計数開始ボタンの押下や、表示された計数結果の確認を行って計数完了ボタンを押下する必要があり、計数処理に要する時間は短時間であっても、紙幣を複数回投入部にセットしたり、計数結果を確認したりする等の紙幣整理装置を停止させて行う計数処理以外の作業に要する時間が多くなり、複数の紙幣群の連続的な処理における紙幣整理装置の稼動効率が低下するという問題がある。
【０００４】
また、紙幣整理装置は、金融機関の店舗内において、複数の係員が使用する装置であるため、他の係員が装置を使用しているときは、その計数処理が終わるまで待っていなければならず、係員の利便性が低下する問題がある。
本発明は、上記の問題点を解決するためになされたもので、複数の紙幣群を連続的に処理する場合の紙幣整理装置の稼動効率を向上させると共に係員の利便性を向上させる手段を提供することを目的とする。
【課題を解決するための手段】
【０００５】
本発明は、上記課題を解決するために、紙幣整理装置が、紙幣、および複数の紙幣からなる紙幣群の区切りを示す区切模様を印刷した区切券からなる媒体を１枚毎に繰出す繰出手段と、該繰出手段から搬送された媒体の媒体模様を識別する媒体模様識別手段と、前記媒体模様識別手段が識別した媒体模様が、紙幣の紙幣模様の一つである場合に、該紙幣の金種、正損からなる種別毎に識別枚数を計数する手段と、前記媒体模様識別手段が識別した媒体模様が、前記区切模様である場合に、該区切券の次の媒体から、前記識別枚数を新たに計数する手段と、全ての媒体の媒体模様の識別を終えた後に、前記区切券を区切りとして複数の前記識別枚数を表示する手段と、を備えることを特徴とする。
【発明の効果】
【０００６】
これにより、本発明は、比較的少数の紙幣からなる複数の紙幣群を、投入部に一度に投入して紙幣群別に種別毎の識別枚数を計数しながら１回で処理することができ、紙幣整理装置を停止させることなく複数の紙幣群を連続的に処理して紙幣整理装置の稼動効率を向上させることができると共に、係員の利便性を向上させることができるという効果が得られる。
【発明を実施するための最良の形態】
【０００７】
以下に、図面を参照して本発明による紙幣整理装置の実施例について説明する。
【実施例１】
【０００８】
図１は実施例１の紙幣整理装置の内部構造を示す概略側面図、図２は実施例１の紙幣整理装置を示すブロック図である。
本実施例では、媒体として、紙幣（万券、５千券、２千券、千券）、および複数の紙幣からなる紙幣群の区切りを示す区切券が用いられる。
この区切券は、紙幣と同等の大きさおよび厚さを有する矩形の紙片であって、区切券であることを識別するためのマークまたは縞模様等の区切模様が、表裏両面に印刷されている。
【０００９】
図１、図２において、１は媒体の投入部であり、紙幣整理装置の正面の上部に設けられている。
２は繰出部であり、投入部１に投入された媒体を搬送方向へ繰出す繰出ローラ、この繰出ローラと連動して同方向に回転するフィードローラおよびフィードローラに対向配置され、繰出される媒体を１枚に分離するリバースローラとで構成され、投入部１に投入された媒体を最下位の媒体から順に１枚毎に分離して繰出す機能を有している。
【００１０】
４は識別部であり、搬送された媒体に印刷された紙幣の紙幣模様や、区切券の区切模様等の媒体模様をＣＣＤカメラ等により撮影してその媒体模様を認識し、認識した媒体模様から紙幣の真偽、金種、正損、表裏等の各種の識別を行う媒体模様識別部４ａ、および透過光式の光学センサにより媒体の重送等の搬送異常を検出する搬送異常検出部４ｂ等を有しており、装置内に設けられている。
【００１１】
５は表裏反転部であり、装置内の識別部４の下流に位置するように設けられ、紙幣の表裏反転を行う機能を有している。
６ａ、６ｂはオープンポケットであり、装置の上面に設けられ、識別部４の媒体模様識別部４ａで、結束対象外の金種の紙幣と識別された紙幣等を集積し、オープンポケット６に集積された媒体は、係員が直接アクセスできるようになっている。
【００１２】
７は集積機構であり、本実施例では、縦１列に５つの一時集積部８ａ〜８ｅが並べて装置内に設けられており、各一時集積部８には、それぞれ識別部４による識別結果に基づいて紙幣の金種および正損の組合せからなる紙幣の種別毎に、予め設定された所定の結束枚数（例えば１００枚）の紙幣が集積できるようになっている。
また、各一時集積部８には、それぞれ集積した紙幣の短手方向と長手方向とをそれぞれ揃える図示しない整位機構が設けられており、紙幣が１枚搬送される度に整位動作を行うようになっている。
【００１３】
９は排出口としてのリジェクトポケットであり、識別部４の媒体模様識別部４ａで、偽券もしくは金種不明と識別されたリジェクト紙幣、または搬送異常検出部４ｂで、搬送異常が検出された媒体等を集積し、リジェクトポケット９に集積された媒体に係員が直接アクセスできるようになっている。
１０は移送部であり、装置内に設けられ、一時集積部８ａ〜８ｅに集積された結束枚数の紙幣を束のまま一括してハンド部１０ａで把持して引抜き、装置内に設けられた施封部１１へ移送し、移送した紙幣を束のまま引渡すことができるようになっている。
【００１４】
施封部１１は、移送部１０から束のまま受取った結束枚数の紙幣を、紙テープ等の結束材で結束して紙幣束を作成し、これを放出口１２から放出するようになっている。
１３は操作表示部であり、ＬＣＤ等の表示画面とその表面に配置したタッチパネル等の入力手段によって構成されており、表示画面に識別部４で識別された紙幣の種別毎の識別枚数からなる計数結果の表示等を行うと共に、入力手段により係員が操作した整理モードの指定や、それぞれの一時集積部８に集積する紙幣の種別等の設定、紙幣の処理動作の開始指示等の入力を受付ける。
【００１５】
１４はファンであり、装置内部で発生した熱の放熱を行うために、装置内部の空気の掃気を行う。
１５は近接センサであり、紙幣整理装置に接近した人を検出する赤外線式等の光学センサである。
１７は媒体の搬送路であり、図１に示すように、搬送路１７ａ〜１７ｆで構成されており、搬送路１７ａは投入部１から識別部４に至るように設けられ、搬送路１７ｂは識別部４から表裏反転部５に至るように設けられ、搬送路１７ｃは搬送路１７ｂの途中から分岐してリジェクトポケット９に至るように設けられ、搬送路１７ｄは表裏反転部５から集積機構７の一時集積部８ａ〜８ｅに沿うように装置の下部に伸びて最も下位にある一時集積部８ｅに至るように設けられ、搬送路１７ｅは搬送路１７ｄの途中から分岐してオープンポケット６ａに至るように設けられ、搬送路１７ｆは搬送路１７ｅの途中から分岐してオープンポケット６ｂに至るように設けられている。
【００１６】
なお、それぞれの搬送路１７の分岐部の近傍には媒体の搬送方向を切替える図示しない切替えブレードが設けられ、後述する制御部２０により動作制御される。
図２において、２０は紙幣整理装置の制御部であり、紙幣整理装置内の各部を制御して紙幣整理処理等を実行する機能を有している。
２１は記憶部であり、制御部２０が実行するプログラムやそれに用いる各種のデータおよび制御部２０による処理結果等が格納される。
【００１７】
この記憶部２１には、投入部１に投入された紙幣を繰出部２により１枚毎に繰出し、識別部４で識別された紙幣の種別に基づいて、設定された集積先の一時集積部８へ紙幣を搬送して集積し、一時集積部８ａ〜８ｅのいずれか一つに結束枚数の紙幣が集積されたときに、これを束のまま施封部１１へ移送して紙幣束を作成する機能を有する通常の紙幣結束処理プログラムに、識別部４の媒体模様識別部４ａが区切模様により区切券を識別したときに、区切券を区切りとして識別枚数の計数を別に行い、計数終了時に区切券毎に区切って計数した紙幣群別の種別毎の識別枚数からなる計数結果を表示する機能を有する識別枚数計数処理プログラム等が追加された紙幣整理処理プログラムが予め格納されており、制御部２０が実行する紙幣整理処理プログラムのステップにより本実施例の紙幣整理装置および紙幣投入機構のハードウェアとしての各機能手段が形成される。
【００１８】
また、記憶部２１には、各紙幣の紙幣模様および区切券の区切模様が予め格納され、施封部１１で紙幣束を作成するときの所定の結束枚数（本実施例では、１００枚）が格納されると共に、識別部４で識別された紙幣の種別毎の枚数をそれぞれ紙幣群別に計数するための複数の識別枚数計数エリアが確保され、各一時集積部８に集積された紙幣の集積枚数をそれぞれ計数するための集積枚数カウントエリアが確保されている。
【００１９】
以下に、図３に示すフローチャートを用い、Ｓで示すステップに従って、本実施例の紙幣整理処理における結束処理について説明する。
Ｓ１、紙幣整理装置に電源が投入されると、制御部２０は、紙幣整理処理プログラムにより、操作表示部１３の画面に各種の整理モードの選択ボタン、および処理の開始を指示するため計数開始ボタン等を表示した業務画面を表示する。
【００２０】
係員は、表示された業務画面から実行する整理モードを選択し、結束する紙幣の種別等を指定する。
本実施例では、整理モードとして、４つの金種を正損の別に関わらず金種別に結束する４金種結束モードが選択されたものとして説明する。
Ｓ２、制御部２０、操作表示部１３の計数開始ボタンの押下を待って待機し、計数開始ボタンが押下されたときにステップＳ３へ移行する。計数開始ボタンが押下されない場合は、業務選択画面を表示しながら、係員の入力操作の受付を継続する。
【００２１】
係員は、金種および正損の混在した複数の紙幣からなる４つの紙幣群を準備し、それぞれの紙幣群の間に区切券を挟み込み、区切券で区切った４つの紙幣群を一度に投入部１へセットし、操作表示部１３の計数開始ボタンを押下する。
Ｓ３、計数開始ボタンの押下を受付けた制御部２０は、初期設定を実行する。
すなわち、制御部２０は、記憶部２１の全ての識別枚数計数エリアの各種別のカウント数、および集積枚数カウントエリアの各一時集積部８のカウント数を「０」に設定すると共に、一時集積部８ａへ集積する紙幣の種別を万券の正損券とし、一時集積部８ｂへ集積する紙幣の種別を５千券の正損券とし、一時集積部８ｃへ集積する紙幣の種別を２千券の正損券とし、一時集積部８ｄへ集積する紙幣の種別を千券の正損券とし、一時集積部８ｅを一時集積部８ａないし８ｄのいずれか一つに結束枚数の紙幣が集積されたときに、それ以降の紙幣を集積する種別指定のない補助集積部として設定し、これを記憶部２１に種別設定として格納する。
【００２２】
Ｓ４、制御部２０は、投入部１の繰出部２により、投入部１の最下位の媒体から順に媒体を１枚毎に分離して搬送路１７ａへ繰出し、これを搬送路１７ａにより識別部４へ搬送して媒体の識別を行う。
すなわち、制御部２０は、識別部４の搬送異常検出部４ｂにより搬送された媒体の重送等の搬送異常等の検出を行い、正常搬送と判定された媒体は、媒体模様識別部４ａにより認識した媒体模様を、記憶部２１に格納されている各紙幣の紙幣模様、並びに印刷券の区切模様と比較してその媒体が紙幣であることおよびその真偽、正損、金種等の識別、並びにその媒体が区切券であることの識別を行い、これらの識別結果等を認識する。
【００２３】
Ｓ５、識別結果等を認識した制御部２０は、その媒体が、重送が検出された媒体である場合は、重送が検出されたことを認識してステップＳ９へ移行し、他の識別結果等の場合はステップＳ６へ移行する。
Ｓ６、識別結果等を認識した制御部２０は、その媒体が、区切券である場合は、区切券が識別されたことを認識してステップＳ７へ移行し、他の識別結果等の場合はステップＳ８へ移行する。
【００２４】
Ｓ７、区切券が識別されたことを認識した制御部２０は、記憶部２１の現在の識別枚数計数エリアを、次の識別枚数計数エリアに切替えてステップＳ９へ移行する。
本ステップでは、最初の紙幣群の計数であるので、現在の識別枚数計数エリアである第１の識別枚数計数エリアが、第２の識別枚数計数エリアに切替えられる。
これにより、区切券の次の媒体からの識別枚数は、下記のステップＳ８、Ｓ１０において、切替えられた現在の識別枚数計数エリアである第２の識別枚数計数エリアを用いて種別毎にカウントされ、以後同様に区切券を認識する度に現在の識別枚数計数エリアを順に切替えながら紙幣群別の種別毎の識別枚数が計数される。
【００２５】
Ｓ８、識別結果等を認識した制御部２０は、その媒体が、リジェクト紙幣である場合は、記憶部２１の現在の識別枚数計数エリアのリジェクト紙幣のカウント数に「１」を加え、その識別枚数を計数してステップＳ９へ移行する。他の識別結果等の場合はステップＳ１０へ移行する。
Ｓ９、制御部２０は、重送が検出された媒体、または区切券、リジェクト紙幣を、搬送路１７ｂ、１７ｃによりリジェクトポケット９に搬送して集積し、ステップＳ１５へ移行する。
【００２６】
Ｓ１０、識別結果等を認識した制御部２０は、その媒体が、真券の紙幣である場合は、その種別（本実施例では金種と同義）を認識し、記憶部２１の現在の識別枚数計数エリアの当該種別のカウント数に「１」を加え、その識別枚数を計数すると共に、その種別を基に、記憶部２１の種別設定を参照して、その媒体を集積する集積先の一時集積部８を認識する。
【００２７】
Ｓ１１、紙幣の集積先を認識した制御部２０は、その紙幣を搬送路１７ｂにより表裏反転部５に搬送して表裏反転部５で表裏を揃えた後に、搬送路１７ｄにより集積機構７へ搬送し、集積機構７により集積先の一時集積部８に集積する。
Ｓ１２、集積先の一時集積部８に紙幣を集積した制御部２０は、記憶部２１の集積枚数カウントエリアの当該一時集積部８のカウント数に「１」を加えて当該一時集積部８に集積された紙幣の集積枚数を計数する。
【００２８】
Ｓ１３、そして、制御部２０は、記憶部２１から読出した結束枚数と、更新された集積枚数とを比較し、集積枚数が結束枚数より少ない場合はステップＳ１５へ移行する。
集積枚数と結束枚数が等しい場合、つまり結束枚数（本実施例では１００枚）の紙幣がいずれか一つの一時集積部８に集積された場合は、ステップＳ１４へ移行する。
Ｓ１４、いずれか一つの一時集積部８、例えば一時集積部８ａに結束枚数の紙幣集積されたことを判定した制御部２０は、記憶部２１の種別設定の補助集積部、つまり一時集積部８ｅへ集積する紙幣の種別を一時集積部８ａと同じ種別、つまり万券の正損券とし、一時集積部８ａを補助集積部として記憶部２１の種別設定を変更する。
【００２９】
そして、制御部２０は、移送部１０により一時集積部８ａの結束枚数の紙幣を束のままハンド部１０ａにより引抜いて施封部１１へ移送し、記憶部２１の集積枚数カウントエリアの一時集積部８ａの集積枚数を「０」にリセットしてステップＳ１５へ移行する。
これと並行して、制御部２０は、施封部１１により移送部１０から束のまま受け取った紙幣に、結束材を巻き掛けて紙幣束を作成し、これを放出口１２に送って装置の外部へ放出する。
【００３０】
Ｓ１５、一時集積部８ａの集積枚数の更新、または結束枚数の紙幣が集積されたことによる記憶部２１の種別設定の変更、区切券等のリジェクトポケットへの搬送を行った制御部２０は、上記ステップＳ４で識別した媒体が、投入部１にセットされた媒体の最後の媒体である場合は、ステップＳ１６へ移行する。
識別した媒体が最後の媒体ではない場合は、ステップＳ４へ戻って上記の媒体の繰出し、識別を継続する。
【００３１】
Ｓ１６、最後の媒体が集積されたことを認識した制御部２０は、操作表示部１３の画面に、図４に示す計数結果表示画面を表示する。
計数結果表示画面には、区切券を区切りとして各識別枚数カウントエリアで計数された紙幣群別の種別毎の識別枚数が表示されると共に、これらの合計枚数が種別毎に表示される他、処理の完了を指示するため計数完了ボタン等が表示される。
【００３２】
係員は、表示された紙幣群別の計数結果等を確認して計数完了ボタンを押下する。
計数完了ボタンの押下を受付けた制御部２０は、選択された４金種結束モードの結束処理を終了させ、ステップＳ１へ戻って業務画面をしながらステップＳ２の計数開始ボタンの押下を待って待機する。
なお、本実施例では、４つの紙幣群を処理する場合を例に説明したが、紙幣群が２つ以上であれば、いくつであっても同様である。
【００３３】
このように、本実施例の結束処理においては、比較的少数の紙幣からなる紙幣群が複数ある場合に、それらの間に区切券を挟んで投入部１に一度に投入すれば、これらの紙幣群が１回で処理され、その紙幣群別に計数された種別毎の識別枚数が一度に表示されるので、紙幣群別に計数開始ボタンの押下や表示された計数結果の確認を行って計数完了ボタンを押下する必要がなくなり、紙幣整理装置を停止させることなく複数の紙幣群を連続的に処理することが可能になり、複数の紙幣群を連続的に処理する場合の紙幣整理装置の稼動効率を向上させることができる。
【００３４】
また、複数の係員が同じ紙幣整理装置を使用する場合においても、複数の係員が持ち寄った紙幣群の間に区切券を挟んで投入部１に一度に投入すれば、上記と同様にこれらの紙幣群が１回で処理され、それぞれの紙幣群別に識別枚数が表示されるので、各係員が持ち寄った紙幣群を区別することができ、他の係員の処理の終了を待つ必要がなくなり、係員の利便性を向上させることができる。
【００３５】
以上説明したように、本実施例では、複数の紙幣からなる紙幣群の間に区切券を挟んで投入部に投入し、この媒体を１枚毎に繰出して媒体模様識別部により媒体の媒体模様を識別し、その媒体模様が紙幣模様である場合にその紙幣の種別毎に識別枚数を計数し、その媒体模様が区切模様である場合に、その区切券の次の媒体から識別枚数を新たに計数し、全ての媒体の識別を終えた後に区切券を区切りとして計数した複数の紙幣群別の識別枚数を表示するようにしたことによって、比較的少数の紙幣からなる複数の紙幣群を、投入部に一度に投入して、紙幣群別に種別毎の識別枚数を計数しながら１回で処理することができ、紙幣整理装置を停止させることなく複数の紙幣群を連続的に処理して紙幣整理装置の稼動効率を向上させることができると共に、係員の利便性を向上させることができる。
【００３６】
また、区切券を、係員がアクセス可能な排出口としてのリジェクトポケットへ搬送して集積するようにしたことによって、区切券を即座に再利用することが可能なる。
なお、本実施例においては、排出口はリジェクトポケットとして説明したが、係員がアクセス可能な部位であればどこでもよく、例えばオープンポケット等であってもよい。
【実施例２】
【００３７】
図５は実施例２の紙幣整理処理における結束処理を示すフローチャートである。
なお、上記実施例１と同様の部分は、同一の符号を付してその説明を省略する。
本実施例の記憶部２１には、上記実施例１と同様の紙幣結束処理プログラム、および識別枚数計数処理プログラムに、重送を検出したときに次の区切券を認識するまでの間の媒体をリジェクトポケットへ搬送して集積する機能を有するアプリケーションプログラム等が追加された紙幣整理処理プログラムが予め格納されており、制御部２０が実行する紙幣整理処理プログラムのステップにより本実施例の紙幣整理装置および紙幣投入機構のハードウェアとしての各機能手段が形成される。
【００３８】
また、記憶部２１には、上記実施例１と同様に、紙幣模様および区切模様、所定の結束枚数（本実施例では、１００枚）が格納されると共に、複数の識別枚数計数エリア、および集積枚数カウントエリアが確保されている。
更に、記憶部２１には、前記に加えて、重送が発生したか否かを判定するための重送インデックスを格納するインデックス格納エリアが確保されている。
【００３９】
本実施例の説明においては、重送インデックスが「０」の場合は、重送が発生していない場合、または重送が発生した後に区切券が識別されたことにより、区切券以後の識別枚数の計数を再開した場合を示し、重送インデックスが「１」の場合は、重送が発生したことにより、重送発生以後の識別枚数の計数を中断した場合を示す。
以下に、図５に示すフローチャートを用い、ＳＡで示すステップに従って、本実施例の紙幣整理処理における結束処理について説明する。
【００４０】
本実施例のステップＳＡ１、ＳＡ２の作動は、上記実施例１のステップＳ１、Ｓ２の作動と同様であるので、その説明を省略する。
ＳＡ３、計数開始ボタンの押下を受付けた制御部２０は、初期設定を実行する。
すなわち、制御部２０は、実施例１のステップＳ３と同様にして、記憶部２１の識別枚数計数エリアおよび集積枚数カウントエリアのカウント数、並びに種別設定を初期設定すると共に、記憶部２１のインデックス格納エリアの重送インデックスを「０」に初期設定する。
【００４１】
ＳＡ４、制御部２０は、実施例１のステップＳ４と同様にして、識別部４により媒体の識別を行い、その識別結果等を認識する。
ＳＡ５、識別結果を認識した制御部２０は、その媒体の識別結果等が、重送が検出された媒体である場合は、重送が検出されたことを認識してステップＳＡ６へ移行し、他の識別結果等の場合はステップＳＡ７へ移行する。
【００４２】
ＳＡ６、重送が検出されたことを認識した制御部２０は、記憶部２１のインデックス格納エリアの重送インデックスを「１」に変更して、ステップＳＡ１２へ移行する。
ＳＡ７、制御部２０は、記憶部２１のインデックス格納エリアの重送インデックスを確認し、重送インデックスが「１」の場合はステップＳＡ１２へ移行し、重送インデックスが「０」の場合はステップＳＡ８へ移行する。
【００４３】
これにより、重送が検出された媒体以降の媒体は、下記のステップＳＡ１１、ＳＡ１３における識別枚数の計数が中断される。
ＳＡ８、識別結果等を認識した制御部２０は、その媒体が、区切券である場合は、区切券が識別されたことを認識してステップＳＡ９へ移行し、他の識別結果等の場合はステップＳＡ１１へ移行する。
【００４４】
ＳＡ９、区切券が識別されたことを認識した制御部２０は、上記実施例１のステップＳ７と同様にして記憶部２１の現在の識別枚数計数エリアを、次の識別枚数計数エリアに切替えてステップＳＡ１０へ移行する。
ＳＡ１０、現在の識別枚数計数エリアを切替えた制御部２０は、記憶部２１のインデックス格納エリアの重送インデックスを「０」に変更して、ステップＳＡ１２へ移行する。
【００４５】
これにより、区切券の次の媒体からの識別枚数は、下記のＳＡ１１、ＳＡ１３において、切替えられた現在の識別枚数計数エリアである第２の識別枚数計数エリアを用いて種別毎にカウントされ、中断されていた識別枚数の計数が再開される。
その後のステップＳＡ１１〜ＳＡ１９の作動は、上記実施例１のステップＳ８〜Ｓ１６の作動と同様であるので、その説明を省略する。
【００４６】
なお、本実施例では、４つの紙幣群を処理する場合を例に説明したが、紙幣群が２つ以上であれば、いくつであっても同様である。
このように、本実施例の結束処理においては、比較的少数の紙幣からなる紙幣群が複数ある場合に、それらの間に区切券を挟んで投入部１に一度に投入すれば、上記実施例１と同様に、紙幣整理装置を停止させることなく複数の紙幣群を連続的に処理することが可能になり、複数の紙幣群を連続的に処理する場合の紙幣整理装置の稼動効率を向上させることができると共に、係員の利便性を向上させることができる。
【００４７】
また、識別部４の異常搬送検出部４ｂにおいて、重送が検出された場合に、その媒体以後の媒体の識別枚数の計数を中断するので、重送が検出された媒体に区切券が含まれていた場合においても、２つの紙幣群の識別枚数が同じ識別枚数カウントエリアを用いて計数されることはなく、識別枚数の計数におけるミスカウントを防止することができる。
以上説明したように、本実施例では、上記実施例１と同様の効果に加えて、異常搬送検出部が重送を検出したときに、以後の媒体を係員がアクセス可能な排出口へ搬送して、重送を検出した以後の媒体からの識別枚数の計数を中断し、媒体模様識別部が区切券を認識したときに、区切券の次の媒体から識別枚数の計数を再開するようにしたことによって、２つの紙幣群の識別枚数が同じ識別枚数カウントエリアを用いて計数されることを防止して、識別枚数の計数におけるミスカウントを防止することができる。
【００４８】
なお、本実施例では、区切券が識別された後に重送が検出された場合に、重送の検出前に正常に計数した紙幣は、操作表示部の画面に計数結果を表示すると共に、結束して放出口から装置の外部へ放出するとして説明したが、重送が検出された場合に、その検出前に識別された区切券から、重送の検出後に識別された区切券までの紙幣を結束せずに、重送媒体を含む全ての媒体をリジェクトポケットへ集積して返却すると共に、操作表示部の画面に計数が正常に行われなかった旨を表示するようにしてもよい。
【実施例３】
【００４９】
図６は実施例３の紙幣整理処理における結束処理を示すフローチャートである。
なお、上記実施例１と同様の部分は、同一の符号を付してその説明を省略する。
本実施例では、媒体として上記実施例１と同様に紙幣、および紙幣群の区切りを示す区切券が用いられる他、紙幣束を結束するときの結束枚数を変更するときにその枚数を指示するための枚数設定券が用いられる。
【００５０】
この枚数設定券は、実施例１の区切券と同等の形状を有する矩形の紙片であって、結束枚数の枚数を表すために、区切模様以外のマークまたは縞模様等からなる枚数模様が、表裏両面に印刷されている。
また、枚数設定券は、２０枚や５０枚、８０枚等を表す枚数模様が印刷された複数の枚数設定券が準備されている。
【００５１】
本実施例の記憶部２１には、上記実施例１と同様の紙幣結束処理プログラム、および識別枚数計数処理プログラムに、枚数設定券を識別したときに、そこに印刷された枚数模様により認識した枚数を結束枚数として設定する機能を有するアプリケーションプログラム等が追加された紙幣整理処理プログラムが予め格納されており、制御部２０が実行する紙幣整理処理プログラムのステップにより本実施例の紙幣整理装置および紙幣投入機構のハードウェアとしての各機能手段が形成される。
【００５２】
また、記憶部２１には、上記実施例１と同様に、紙幣模様および区切模様、所定の結束枚数（本実施例では、１００枚）が格納されると共に、複数の識別枚数計数エリア、および集積枚数カウントエリアが確保されている。
更に、記憶部２１には、前記に加えて、枚数模様に対応させてその枚数を記した枚数模様テーブルが格納されている。
【００５３】
以下に、図６に示すフローチャートを用い、ＳＢで示すステップに従って、本実施例の紙幣整理処理における結束処理について説明する。
ＳＢ１、紙幣整理装置に電源が投入されると、制御部２０は、上記実施例１のステップＳ１と同様にして、業務画面を表示し、係員は業務画面から整理モードを選択し、結束する紙幣の種別等を指定する。
【００５４】
本実施例では、実施例１のステップＳ１と同様に、整理モードとして４金種結束モードが選択されたものとして説明する。
ＳＢ２、制御部２０、操作表示部１３の計数開始ボタンの押下を待って待機し、計数開始ボタンが押下されたときにステップＳＢ３へ移行する。計数開始ボタンが押下されない場合は、業務選択画面を表示しながら、係員の入力操作の受付を継続する。
【００５５】
係員は、金種および正損の混在した複数の紙幣からなる４つの紙幣群を準備し、それぞれの紙幣群の間に区切券を挟み込むと共に、最初の紙幣群の先頭に、本実施例では区切券で区切った４つの紙幣群の最下位に、複数準備された枚数設定券の中から一つの枚数設定券（本実施例、２０枚を表す媒体模様が印刷された枚数設定券）を選択してこれを挿入し、これらを一度に投入部１へセットし、操作表示部１３の計数開始ボタンを押下する。
【００５６】
ＳＢ３、計数開始ボタンの押下を受付けた制御部２０は、初期設定を実行する。
すなわち、制御部２０は、実施例１のステップＳ３と同様にして、記憶部２１の識別枚数計数エリアおよび集積枚数カウントエリアのカウント数、並びに種別設定を初期設定する。
ＳＢ４、制御部２０は、実施例１のステップＳ４と同様にして、識別部４により媒体の識別を行い、その識別結果等を認識する。
【００５７】
このとき、最初に識別部４へ搬送された媒体には、枚数模様が印刷されており、制御部２０は、媒体模様識別部４ａにより認識した媒体模様を、記憶部２１に格納されている枚数模様テーブルの枚数模様と比較して、その媒体模様により表された枚数（本実施例では、２０枚）を認識すると共に、その媒体が枚数設定券であることを識別する。
ＳＢ５、識別結果等を認識した制御部２０は、最初の媒体の識別結果等が、枚数設定券である場合は、ステップＳＢ６へ移行し、他の識別結果等の場合はステップＳＢ７へ移行する。
【００５８】
ＳＢ６、枚数設定券が識別されたことを認識した制御部２０は、記憶部２１の結束枚数を、枚数模様により認識した枚数に書替えて結束枚数を設定し、ステップＳＢ１１により枚数設定券を、搬送路１７ｂ、１７ｃによりリジェクトポケット９に搬送して集積し、ステップＳＢ１７へ移行する。
これにより、本実施例の結束処理における結束枚数が、枚数模様により認識した枚数に書替えられ、この書替えられた結束枚数（本実施例では、２０枚）を用いて、下記のステップＳＢ１５におけるいずれか一つの一時集積部８に結束枚数の紙幣が集積されたことの判定が行われ、放出口１２からは２０枚で結束された紙幣束が放出される。
【００５９】
その後のステップＳＢ７〜ＳＢ１８の作動は、上記実施例１のステップＳ５〜Ｓ１６の作動と同様であるので、その説明を省略する。
なお、本実施例では、４つの紙幣群を処理する場合を例に説明したが、紙幣群が２つ以上であれば、いくつであっても同様である。
このように、本実施例の結束処理においては、比較的少数の紙幣からなる紙幣群が複数ある場合に、それらの間に区切券を挟むと共に先頭に枚数設定券を挿入して投入部１に一度に投入すれば、上記実施例１と同様に、紙幣整理装置を停止させることなく複数の紙幣群を連続的に処理することが可能になり、複数の紙幣群を連続的に処理する場合の紙幣整理装置の稼動効率を向上させることができると共に、係員の利便性を向上させることができる。
【００６０】
また、識別部４の媒体模様識別部４ａにおいて、最初の媒体が枚数設定券と識別された場合に、その結束処理における結束枚数を枚数模様により認識した枚数に書替るので、結束枚数の変更を容易に行うことができる。
以上説明したように、本実施例では、上記実施例１と同様の効果に加えて、結束枚数の枚数を表す枚数模様を印刷した枚数設定券を設け、媒体模様識別部が識別した媒体模様で表された枚数を、結束枚数として設定するようにしたことによって、結束処理における結束枚数の変更を容易に行うことができる。
【００６１】
また、枚数設定券を、係員がアクセス可能な排出口としてのリジェクトポケットへ搬送して集積するようにしたことによって、枚数設定券を即座に再利用することが可能なる。
なお、上記各実施例においては、区切券は区切模様が表裏に印刷された紙片であるとして説明したが、片面のみに印刷するようにしてもよく、両面に印刷を行っていない白紙であってもよい。要は紙幣や、実施例３の枚数設定券等と区別して識別できる紙片であればよい。
【００６２】
また、上記各実施例においては、４金種結束モードに本発明を適用した場合を例に説明したが、他の整理モード、例えば万券および千券をそれぞれ正損別に結束する２金種結束モードや、紙幣を結束せずに金種や正損の枚数のみを計数する計数モード等であっても、上記と同様の効果を得ることができる。
【図面の簡単な説明】
【００６３】
【図１】実施例１の紙幣整理装置の内部構造を示す概略側面図
【図２】実施例１の紙幣整理装置を示すブロック図
【図３】実施例１の紙幣整理処理における結束処理を示すフローチャート
【図４】実施例１の計数結果表示画面の表示例を示す説明図
【図５】実施例２の紙幣整理処理における結束処理を示すフローチャート
【図６】実施例３の紙幣整理処理における結束処理を示すフローチャート
【符号の説明】
【００６４】
１    投入部
２    繰出部
４    識別部
４ａ  媒体模様識別部
４ｂ  搬送異常検出部
５    表裏反転部
６、６ａ、６ｂ  オープンポケット
７    集積機構
８、８ａ〜８ｅ  一時集積部
９    リジェクトポケット
１０  移送部
１０ａ  ハンド部
１１  施封部
１２  放出口
１３  操作表示部
１４  ファン
１５  近接センサ
１７、１７ａ〜１７ｅ  搬送路
２０  制御部
２１  記憶部
【図１】
2008176469.tif 000003
【図２】
2008176469.tif 000004
【図３】
2008176469.tif 000005
【図４】
2008176469.tif 000006
【図５】
2008176469.tif 000007
【図６】
2008176469.tif 000008